(57)【要約】【課題】  大型化することがなく、ディスクの上面側の回転風も取り入れてディスクトレイの通風路を流れる回転風の風量を増加でき、スピンドルモータの冷却を促進できる。【解決手段】  ディスクＤとディスクカバー２との間に生じる回転風を誘導するための開口部２ｂがディスクカバーに設けられ、回転風を誘導する通風路８がディスクトレイ１のディスク載置部の裏面側に設けられ、通風路の基端にディスクカバーとディスク間の回転風とディスクとディスクトレイとの間の回転風を分離する略Ｃ字状の分離片９が設けられ、分離片の外側をディスクカバーとディスクとの間の回転風が通過し分離片の内側をディスクとディスクトレイのディスク載置部との間の回転風が通過してディスクトレイ通風路で回転風が.合流されてディスクトレイのディスク載置部の中心のスピンドルモータが冷却され、更に、ディスクカバーとディスクトレイの接触部は斜面形状に形成されている。【選択図】  図１
0003126687.tif 000002
【実用新案登録請求の範囲】
【請求項１】
ディスクが載置されるディスクトレイの上部にディスクカバーが被せられるように構成され、ディスクトレイのディスク載置部に載置されてセット位置に搬入されたディスクが、スピンドルモータの回転軸に連結されたチャッキング機構により前記ディスクトレイから浮き上がった位置で保持され、前記スピンドルモータで前記チャッキング機構と共に回転されるディスクの記録面が光ピックアップによって走査され、前記チャッキング機構が前記スピンドルモータの回転軸に直結された上下移動可能なターンテーブルと、このターンテーブルの上方への移動によって前記ディスクを前記ターンテーブルとの間で挟持するために前記ディスクカバーの下部に設けられたクランパーとを備え、前記ディスクトレイに前記ディスク載置部の中央に位置し前記ターンテーブルの上下移動を可能とする開口が形成されたディスク装置において、前記ディスクの回転によってそのディスクと前記ディスクカバーとの間の隙間に生じる回転風を、前記ディスクトレイの裏面側に誘導するために上端側が次第に広がるように形成された開口部が前記ディスクカバーに設けられると共に、この回転風と前記ディスクと前記ディスクトレイとの間に生じる回転風を前記ディスクトレイの裏面側に誘導する通風路が前記ディスクトレイの前記ディスク載置部の裏面側に放射状に設けられ、前記通風路の始端には前記ディスクカバーと前記ディスク間の回転風と前記ディスクと前記ディスクトレイとの間の回転風を分離するための分離片が設けられ、この分離片を通過した回転風は前記ディスクトレイの裏面側の通風路で合流されて前記ディスクトレイの前記ディスク載置部の中心に位置する前記スピンドルモータに合流された回転風があたって前記スピンドルモータが冷却されるように構成され、前記分離片は、略Ｃ字状に形成されていて、この略Ｃ字状の分離片の外側を前記ディスクカバーと前記ディスクとの間の回転風が通過し、この分離片の内側を前記ディスクと前記ディスクトレイのディスク載置部との間の回転風が通過して前記ディスクトレイの裏面側の前記通風路で前記回転風が合流するように構成されており、更に、前記ディスクカバーと前記ディスクトレイの接触部は、互いに対応する斜面形状に形成され、前記ディスクカバーと前記ディスク間の回転風が外部に漏れることを阻止する構造となっていることを特徴とするディスク装置。
【請求項２】
ディスクが載置されるディスクトレイの上部にディスクカバーが被せられるように構成され、ディスクトレイのディスク載置部に載置されてセット位置に搬入されたディスクが、スピンドルモータの回転軸に連結されたチャッキング機構により前記ディスクトレイから浮き上がった位置で保持され、前記スピンドルモータで前記チャッキング機構と共に回転されるディスクの記録面が光ピックアップによって走査され、前記チャッキング機構が前記スピンドルモータの回転軸に直結された上下移動可能なターンテーブルと、このターンテーブルの上方への移動によって前記ディスクを前記ターンテーブルとの間で挟持するために前記ディスクカバーの下部に設けられたクランパーとを備え、前記ディスクトレイに前記ディスク載置部の中央に位置し前記ターンテーブルの上下移動を可能とする開口が形成されたディスク装置において、前記ディスクカバーには、前記ディスクの回転によって生じる前記ディスクカバーと前記ディスク間の回転風を誘導する開口部が形成され、前記ディスクトレイの裏面側には前記ディスクカバーと前記ディスクの間に生じる回転風と前記ディスクと前記ディスクトレイのディスク載置部の間に生じる回転風を前記ディスクトレイの前記ディスク載置部の中央の開口に位置する前記スピンドルモータにあてて前記スピンドルモータを冷却する通風路が放射状に形成され、前記通風路の始端には、前記ディスクカバーと前記ディスクとの間の回転風と前記ディスクと前記ディスクトレイの前記ディスク載置部との間の回転風を分離して通過させるための分離片が設けられていることを特徴とするディスク装置。
【請求項３】
前記ディスクトレイには、前記通風路の始端に前記ディスクと前記ディスクトレイのディスク載置部との間の回転風を前記通風路に誘導するための案内口が形成されている請求項２に記載のディスク装置。
【請求項４】
前記ディスクトレイの下面には、前記ディスクトレイの下方位置に配置されたトレイ受け部の上面に当接して、前記ディスクトレイがセット位置に挿入される際に、前記ディスクトレイを上側に若干移動して、このディスクトレイの上端と前記ディスクカバーの下端とが隙間が生じないように当接するための小突起が形成されている請求項２又は３に記載のディスク装置。
【考案の詳細な説明】
【技術分野】
【０００１】
本考案は、ディスクの回転による回転風を、チャッキング機構のターンテーブルを回転するスピンドルモータにあててこのスピンドルモータを冷却するようにしたディスク装置に関するものである。
【背景技術】
【０００２】
第１の従来技術を図５（ａ）（ｂ）に示す。この従来の光ディスク駆動装置は、図５（ａ）（ｂ）に示すように、回転駆動される光ディスク１１４と、この光ディスク１１４面に対向して配置された光ヘッド装置１１５とを備え、光ヘッド装置１１５と光ディスク１１４との間に板状部材１１７が介在されてなる光ディスク駆動装置において、光ディスク１１４の回転によって生じる空気流を光ヘッド装置１１５に導く空気流通路１１８を空気ガイド部材１１９によって形成している。（例えば、特許文献１参照）。
【０００３】
この光ディスク駆動装置では、空気流通路１１８を形成するために空気ガイド部材１１９を使用しており、別部品を使用しているからコスト高になると共に、空気通路１１８を板状部材１１７の途中に形成しているために、筐体１１１が大型化してコンパクト化には向かないという問題があった。
【０００４】
第２の従来技術を図６に示す。この従来のディスク装置は、図６に示すように、ディスクＤの回転に伴ってディスクＤとディスクトレイ２０１のディスク載置部２１２との間の隙間Ｓに誘起される回転風を、ディスクトレイ２０１に設けた通風路２０７によってディスク載置部２１２の表面側から裏面側へ誘導させた後、ディスク載置部２１２の裏面を這わせてモータ２０３の設置箇所に配向させる。ディスク載置部２１２の裏面に、終部に近い箇所ほど溝幅が狭くなる形状を有する溝形風路２０８を形成する。（例えば、特許文献２参照）。
【０００５】
ところが、これにおいては、回転するディスクＤとディスクトレイ２０１のディスク載置部２１２との間の回転風を通風路２０７に誘導させることができるが、ディスクＤの上側に生じる回転風を通風路２０８に誘導することができないという問題があった。
【０００６】
第３の従来技術を図７に示す。この従来のディスク装置における放熱構造は、図７に示すように、ディスク装置３０１内のローダー３０２のターンテーブル３０３の上側に配設したクランパ３０４の上面に軸部３０５を突設し軸部３０５に羽根体３０６を設け、ディスク装置３０１の筐体３０７の蓋部３０７ａの左右隅部に外側に湾曲する隅側ガイド片３０８、３０８を設け、蓋部３０７ａにおける羽根体３０６の位置する上壁内面に内側に湾曲する左右一対の中央側ガイド片３０９、３０９を設けて、ターンテーブル３０３と一体に回転するクランパ３０４の回転で軸部３０５を介し羽根体３０６を回して風を発生させ、筐体３０７内の隅側ガイド片３０８、３０８と中央側ガイド片３０９、３０９で風の流れを生じさせ、風の流れでプリント基板Ｐ上の発熱部品からの発熱を筐体３０７内で冷却して放熱するように構成した。（例えば、特許文献３参照）。
【０００７】
ところが、これにおいては、羽根体３０６を設けているので、この羽根体３０６が別部材となってコスト高になるという問題があった。また、羽根体３０６を設けるスペースを必要とするために、筐体３０７が上下に大きな幅を取って大型化してしまうという問題があった。
【特許文献１】特開平１１−２５６６７号公報
【特許文献２】特開２００６−４０３８９号公報
【特許文献３】特開２００２−２３０９６２号公報
【考案の開示】
【考案が解決しようとする課題】
【０００８】
本考案は、上記従来の問題に鑑みてなされたものであって、大型化することがなくてコンパクト化を図れ、コスト高になることを防ぐことができ、回転するディスクの上面側の回転風も取り入れることができてディスクトレイの下部の通風路を流れる回転風の風量を増加することができ、ターンテーブルを回転するスピンドルモータの冷却を促進することができるディスク装置を提供することを目的としている。
【課題を解決するための手段】
【０００９】
本考案は、上記課題を解決するために提案されたものであって、請求項１に記載の考案は、ディスクが載置されるディスクトレイの上部にディスクカバーが被せられるように構成され、ディスクトレイのディスク載置部に載置されてセット位置に搬入されたディスクが、スピンドルモータの回転軸に連結されたチャッキング機構により前記ディスクトレイから浮き上がった位置で保持され、前記スピンドルモータで前記チャッキング機構と共に回転されるディスクの記録面が光ピックアップによって走査され、前記チャッキング機構が前記モータの回転軸に直結された上下移動可能なターンテーブルと、このターンテーブルの上方への移動によって前記ディスクを前記ターンテーブルとの間で挟持するために前記ディスクカバーの下部に設けられたクランパーとを備え、前記ディスクトレイに前記ディスク載置部の中央に位置し前記ターンテーブルの上下移動を可能とする開口が形成されたディスク装置において、前記ディスクの回転によってそのディスクと前記ディスクカバーとの間の隙間に生じる回転風を、前記ディスクトレイの裏面側に誘導するために上端側が次第に広がるように形成された開口部が前記ディスクカバーに設けられると共に、この回転風と前記ディスクと前記ディスクトレイとの間に生じる回転風を前記ディスクトレイの裏面側に誘導する通風路が前記ディスクトレイの前記ディスク載置部の裏面側に放射状に設けられ、前記通風路の始端には前記ディスクカバーと前記ディスク間の回転風と前記ディスクと前記ディスクトレイとの間の回転風を分離するための分離片が設けられ、この分離片を通過した回転風は前記ディスクトレイの裏面側の通風路で合流されて前記ディスクトレイの前記ディスク載置部の中心に位置する前記スピンドルモータに合流された回転風があたって前記スピンドルモータが冷却されるように構成され、前記分離片は、略Ｃ字状に形成されていて、この略Ｃ字状の分離片の外側を前記ディスクカバーと前記ディスクとの間の回転風が通過し、この分離片の内側を前記ディスクと前記ディスクトレイのディスク載置部との間の回転風が通過して前記ディスクトレイの裏面側の前記通風路で前記回転風が合流するように構成されており、更に、前記ディスクカバーと前記ディスクトレイの接触部は、互いに対応する斜面形状に形成され、前記ディスクカバーと前記ディスク間の回転風が外部に漏れることを阻止する構造となっていることを特徴としている。
【００１０】
請求項２に記載の考案は、ディスクが載置されるディスクトレイの上部にディスクカバーが被せられるように構成され、ディスクトレイのディスク載置部に載置されてセット位置に搬入されたディスクが、スピンドルモータの回転軸に連結されたチャッキング機構により前記ディスクトレイから浮き上がった位置で保持され、前記スピンドルモータで前記チャッキング機構と共に回転されるディスクの記録面が光ピックアップによって走査され、前記チャッキング機構が前記スピンドルモータの回転軸に直結された上下移動可能なターンテーブルと、このターンテーブルの上方への移動によって前記ディスクを前記ターンテーブルとの間で挟持するために前記ディスクカバーの下部に設けられたクランパーとを備え、前記ディスクトレイに前記ディスク載置部の中央に位置し前記ターンテーブルの上下移動を可能とする開口が形成されたディスク装置において、前記ディスクカバーには、前記ディスクの回転によって生じる前記ディスクカバーと前記ディスク間の回転風を誘導する開口部が形成され、前記ディスクトレイの裏面側には前記ディスクカバーと前記ディスクの間に生じる回転風と前記ディスクと前記ディスクトレイのディスク載置部の間に生じる回転風を前記ディスクトレイの前記ディスク載置部の中央の開口に位置する前記スピンドルモータにあてて前記スピンドルモータを冷却する通風路が放射状に形成され、前記通風路の始端には、前記ディスクカバーと前記ディスクとの間の回転風と前記ディスクと前記ディスクトレイの前記ディスク載置部との間の回転風を分離して通過させるための分離片が設けられていることを特徴としている。
【００１１】
請求項３に記載の考案は、請求項２に記載の考案において、前記ディスクトレイには、前記通風路の始端に前記ディスクと前記ディスクトレイのディスク載置部との間の回転風を前記通風路に誘導するための案内口が形成されている。
【００１２】
請求項４に記載の考案は、請求項２又は３に記載の考案において、前記ディスクトレイの下面には、前記ディスクトレイの下方位置に配置されたトレイ受け部の上面に当接して、前記ディスクトレイがセット位置に挿入される際に、前記ディスクトレイを上側に若干移動して、このディスクトレイの上端と前記ディスクカバーの下端とが隙間が生じないように当接するための小突起が形成されている。
【考案の効果】
【００１３】
請求項１に記載の考案によれば、ディスクカバーに設けられ、上端側が次第に広がるように形成された開口部に、ディスクの回転によるディスクカバーとディスクとの間の回転風が略Ｃ字状の分離片の外側に誘導されてディスクトレイの裏面側に放射状に設けられた通風路に誘導されると共に、ディスクとディスクトレイとの間の回転風が略Ｃ字状の分離片の内側を通過して前記通風路に誘導されて、ディスクトレイのディスク載置部の中心に位置するスピンドルモータにあたってこのスピンドルモータを効率よく冷却することができる。更に、この通風路を流れる回転風の風量が増加されてスピンドルモータをより一層効率よく冷却することができる。また、略Ｃ字状の分離片によって上側の回転風と下側の回転風が分離されるから、ディスクの上側の回転風とディスクの下側の回転風が衝突することなく通風路に向けてスムーズに流れるようにすることができる。更に、ディスクカバーとディスクトレイの接触部が互いに対応する斜面形状に形成されているから、ディスクカバーとディスク間の回転風が外部に漏れることなく効率よく通風路に誘導することができる。また、略Ｃ字状の分離片が設けられているので、別部材を用いることがなく、コンパクト化とコストダウンを図ることができる。
【００１４】
請求項２に記載の考案によれば、ディスクの回転によるディスクカバーとディスクの間の回転風を開口部から分離片の外側を通ってディスクトレイの裏面側の通風路に誘導し、ディスクとディスクトレイのディスク載置部との間の回転風を分離片の内側を通って前記通風路に誘導してこの通風路の先端からディスクトレイのディスク載置部の中心に位置するスピンドルモータにあてて効率よく冷却することができる。更に通風路を流れる回転風の風量を増加することができて、スピンドルモータをより一層効率よく冷却することができる。また、分離片を設けているから、別部材を用いることがなく、コンパクト化とコストダウンを図ることができる。更に、分離片によってディスクの上側の回転風とディスクの下側の回転風が衝突することなく通風路に向けてスムーズに流れるようにすることができる。
【００１５】
請求項３に記載の考案によれば、ディスクトレイに案内口が形成されているから、ディスクとディスクトレイのディスク載置部との間の回転風をこの案内口から通風路に向けて回転風をスムーズに取り入れることができる。
【００１６】
請求項４に記載の考案によれば、ディスクトレイの挿入時に、ディスクトレイに形成された小突起がトレイ受け部の上面に当接するからディスクトレイの上端とディスクカバーの下端とが隙間がないように当接することができて、ディスクカバーとディスクとの間の回転風が外部に漏れることを防ぐことができ、この回転風を通風路にもれなく誘導することができ、スピンドルモータの冷却効果を高めることができる。
【考案を実施するための最良の形態】
【００１７】
以下、本考案に係るディスク装置の実施の形態について、図を参照しつつ説明する。
【００１８】
図１は本考案の第１実施形態のディスク装置を示す縦断面図、図２は同装置の要部を示す拡大斜視図、図３は同装置のディスクトレイにディスクカバーを被せた状態における通風路内の回転風の流れを示す概略平面図である。
【００１９】
この第１実施形態のディスク装置は、図１に示すように、ディスクＤが載置されるディスクトレイ１の上部にディスクカバー２が被せられるようになっていて、ディスクトレイ１とディスクカバー２の接触部には、互いに対応する斜面形状部１ａ、２ａが形成されている。ディスクトレイ１のディスク載置部には、ディスクＤを挟持するためのチャッキング機構３が設けられている。このチャッキング機構３は上下移動される可動フレーム４上のスピンドルモータ５の回転軸５ａの上端に設けられたターンテーブル６とディスクカバー２の下部に設けられたクランパー７とで構成され、ターンテーブル６が上側に移動されたときに、ターンテーブル６とクランパー７とでディスクＤをチャッキングするようになっている。この状態は、ディスクＤはディスクトレイ１のディスク載置部から若干浮き上がった状態でチャッキングされている。
【００２０】
ディスクトレイ１のディスク載置部の中心には、開口１ｂが形成され、この開口１ｂにスピンドルモータ５の上部が位置するようになっている。ディスクカバー２には、図２にも示すように、ディスクＤの回転によって生じる回転風が導入される開口部２ｂが形成されている。図３にも示すように、ディスクトレイ１には、ディスクＤの回転による回転風をディスクトレイ１の裏面側に誘導する通風路８が放射状に設けられている。この通風路８はディスクトレイ１のディスク載置部の中心になるにつれて次第にその幅が次第に狭まるように形成されている。ディスクＤとディスクトレイ１との間の回転風を誘導するための案内口１ｃがディスクトレイ１に設けられ、ディスクカバー２の開口部２ｂとがディスクトレイ１の通風路８に連通されている。通風路８の基端には、ディスクカバー２とディスクＤ間の回転風とディスクトレイ１とディスクＤ間の回転風を分離するための略Ｃ字状の分離片９が設けられている。
【００２１】
ディスクカバー２の開口部２ｂから導入された回転風は、分離片９の外側を通過し、ディスクトレイ１の案内口１ｃから導入された回転風は分離片９の内側を通過してそれぞれ通風路８で合流されて、この通風路８の終端でスピンドルモータ５にあたってこのスピンドルモータ５が冷却されるようになっている。
【００２２】
従って、この第１実施形態によれば、ディスクカバー２に設けられ、上端側が次第に広くなるように形成された開口部２ｂに、ディスクＤの回転によるディスクカバー２とディスクＤとの間の回転風が略Ｃ字状の分離片９の外側に誘導されてディスクトレイ１の裏面側に放射状に設けられた通風路８に誘導されると共に、ディスクＤとディスクトレイ１との間の回転風が略Ｃ字状の分離片９の内側を通過して通風路８に誘導されて、ディスクトレイ１のディスク載置部の中心に位置するスピンドルモータ５にあたってこのスピンドルモータ５を効率よく冷却することができる。更に、この通風路８を流れる回転風の風量が増加されてスピンドルモータ５をより一層効率よく冷却することができる。また、略Ｃ字状の分離片９によって上側の回転風と下側の回転風が分離されるから、ディスクＤの上側の回転風とディスクＤの下側の回転風が衝突することなく通風路８に向けてスムーズに流れるようにすることができる。
【００２３】
更に、ディスクカバー２とディスクトレイ１の接触部が互いに対応する斜面形状部１ａ、２ａに形成されているから、ディスクカバー２とディスクＤ間の回転風が外部に漏れることなく効率よく通風路８に誘導することができる。また、略Ｃ字状の分離片９が設けられているので、別部材を用いることがなく、コンパクト化とコストダウンを図ることができる。更に、通風路８がディスクトレイ１のディスク載置部の中心になるにつれてその幅が次第に狭まるように形成されているから、通風路８の終端に近づくにつれて風速が早くなり、この早い風速の回転風がスピンドルモータ５にあたるから、スピンドルモータ５をより一層効率的に冷却することができる。
【００２４】
図３は第２実施形態のディスク装置を示す部分縦断面図である。尚、上記した第１実施形態と同一部材、同一箇所には、同一符号を付してその説明を省略する。
【００２５】
この第２実施形態は、図４に示すように、ディスクトレイ１の下面に、ディスクトレイ１の下方に配置されたトレイ受け部１０の上面に当接して、ディスクトレイ１がセット位置に挿入される際に、ディスクトレイ１を上側に若干移動するための小突起１１が形成されている。従って、この第２実施形態によれば、ディスクトレイ１の挿入時に、ディスクトレイ１に形成された小突起１１がトレイ受け部１０の上面に当接するからディスクトレイ１の上端とディスクカバー２の下端とが隙間がないように当接することができて、ディスクカバー２とディスクＤとの間の回転風が外部に漏れることを防ぐことができ、この回転風を通風路８にもれなく誘導することができ、スピンドルモータ５の冷却効果を高めることができる。
【図面の簡単な説明】
【００２６】
【図１】本考案の第１実施形態のディスク装置を示す縦断面図である。
【図２】同装置の要部を示す拡大斜視図である。
【図３】同装置のディスクトレイにディスクカバーを被せた状態における通風路内の回転風の流れを示す概略平面図である。
【図４】第２実施形態のディスク装置を示す部分縦断面図である。
【図５】従来の光ディスク駆動装置を示し、（ａ）はその部分平面図、（ｂ）はその部分縦断面図である。
【図６】従来のディスク装置の縦断面図である。
【図７】従来のディスク装置における放熱構造を示す縦断面図である。
【符号の説明】
【００２７】
Ｄ          ディスク
１          ディスクトレイ
１ａ        斜面形状部
１ｂ        開口
１ｃ        案内口
２          ディスクカバー
２ａ        斜面形状部
２ｂ        開口部
３          チャッキング機構
４          可動フレーム
５          スピンドルモータ
５ａ        回転軸
６          ターンテーブル
７          クランパー
８          通風路
９          略Ｃ字状の分離片
１０        トレイ受け部
１１        小突起
【図１】
0003126687.tif 000003
【図２】
0003126687.tif 000004
【図３】
0003126687.tif 000005
【図４】
0003126687.tif 000006
【図５】
0003126687.tif 000007
【図６】
0003126687.tif 000008
【図７】
0003126687.tif 000009